(57)【要約】【課題】  コンピュータ端末へのソフトウエアーの登録または削除はコンピュータ端末を取り扱うもののみで行われ、管理されていない状態である。【解決手段】  コンピュータ端末でのソフトウエアーの登録または削除を行う場合、コンピュータネットワークを利用して管理責任者が許可または拒否を入力指示できるようにすることで、遠隔管理を可能にし、複数者での管理ができるようにすることで、手順や規定に沿った処理の方法を提供し、客観的な処理を保証することにより、コンピュータ端末の管理とコンピュータ端末内部の情報の保護を提供できる。【選択図】    なし【特許請求の範囲】
【請求項１】
コンピュータ端末でソフトウエアーの登録または削除をする場合、管理責任者がコンピュータネットワークを介してソフトウエアーの登録または削除を許可するのか拒否するのかを指示入力する遠隔管理の方法であって、コンピュータのユーティリティであるアプリケーションの追加と削除または登録をしようとするソフトウエアーのインストーラーまたは削除しようとするソフトウエアーのアンインストーラーが起動すると、コンピュータ端末にインストールされているソフトウエアーの登録と削除を管理するソフトウエアーが、ソフトウエアーを登録または削除しようとするソフトウエアーの処理を一時停止し、コンピュータネットワークを介してサーバーにインストールされているコンピュータ端末を管理するソフトウエアーに対してソフトウエアーの登録または削除の許可を求める通信を行い、サーバーにインストールされているコンピュータ端末を管理するソフトウエアーが受信し、当該ソフトウエアーが管理責任者にコンピュータ端末でのソフトウエアーの登録または削除の許可または拒否の指示を求め、管理責任者が許可または拒否を入力することで管理責任者の指示を、コンピュータネットワークを介してソフトウエアーの登録または削除を実行しようとしているコンピュータ端末に電送し、コンピュータ端末にインストールされているソフトウエアーの登録と削除を管理するソフトウエアーが電送内容を受信し、管理責任者の指示が許可の場合には一時停止させているソフトウエアーの登録または削除しようとするソフトウエアーを始動させ、管理責任者の指示が拒否の場合には一時停止させているソフトウエアーの登録または削除しようとするソフトウエアーを終了する手段、によるコンピュータソフトウエアーの登録および削除を管理する方法である。
【発明の詳細な説明】
【技術分野】
【０００１】  本発明は、コンピュータ端末にソフトウエアーを登録またはコンピュータ端末のソフトウエアーを削除する場合に、コンピュータネットワークを介して管理責任者が許可または拒否を指示することでコンピュータ端末のソフトウエアーを遠隔管理する方法に関するものである。
【背景技術】
【０００２】  従来、コンピュータにソフトウエアーを登録またはコンピュータのソフトウエアーを削除をする場合、コンピュータの使用者の判断で行われていた、これは組織におけるコンピュータの管理においても同じであり、この方法ではコンピュータへのソフトウエアーの登録とコンピュータのソフトウエアーの削除はコンピュータ取扱い者個人を信頼し、その判断のみに頼っている。
【発明の開示】
【発明が解決しようとする課題】
【０００３】  しかしながら、このような状況は組織におけるコンピュータの管理およびコンピュータ内部の情報の管理をする場合、個人の意思が介入しコンピュータを取り扱うものの不正によるコンピュータ内部の改ざんとコンピュータ内部の情報の流失を防止することはできなかった、そこで本発明はコンピュータにソフトウエアーを登録またはコンピュータのソフトウエアーを削除する場合、管理責任者の承認を得ることによってコンピュータ端末取扱者単独での判断を排除する方法を提供する。
【課題を解決するための手段】
【０００４】  上記の課題を解決するために本発明は、コンピュータ端末でソフトウエアーの登録または削除をする場合、管理責任者がコンピュータネットワークを介してソフトウエアーの登録または削除を許可するのか拒否するのかを指示入力する遠隔管理の方法であって、コンピュータのユーティリティであるアプリケーションの追加と削除または登録をしようとするソフトウエアーのインストーラーまたは削除しようとするソフトウエアーのアンインストーラーが起動すると、コンピュータ端末にインストールされているソフトウエアーの登録と削除を管理するソフトウエアーが、ソフトウエアーを登録または削除しようとするソフトウエアーの処理を一時停止し、コンピュータネットワークを介してサーバーにインストールされているコンピュータ端末を管理するソフトウエアーに対してソフトウエアーの登録または削除の許可を求める通信を行い、サーバーにインストールされているコンピュータ端末を管理するソフトウエアーが受信し、当該ソフトウエアーが管理責任者にコンピュータ端末でのソフトウエアーの登録または削除の許可または拒否の指示を求め、管理責任者が許可または拒否を入力することで管理責任者の指示を、コンピュータネットワークを介してソフトウエアーの登録または削除を実行しようとしているコンピュータ端末に電送し、コンピュータ端末にインストールされているソフトウエアーの登録と削除を管理するソフトウエアーが電送内容を受信し、管理責任者の指示が許可の場合には一時停止させているソフトウエアーの登録または削除しようとするソフトウエアーを始動させ、管理責任者の指示が拒否の場合には一時停止させているソフトウエアーの登録または削除しようとするソフトウエアーを終了する手段、によるコンピュータソフトウエアーのインストールおよび削除を管理する方法である。
【発明の効果】
【０００５】  本発明によれば、コンピュータ端末にソフトウエアーを登録またはコンピュータ端末のソフトウエアーを削除する場合、コンピュータ端末を取り扱う者単独の判断に頼らず、管理責任者がコンピュータ端末にソフトウエアーを登録する行為またはコンピュータ端末のソフトウエアーを削除する行為に対して遠隔管理を行うため、複数者での管理が可能になり手順や規定に沿った処理であることを保証できるので、客観的な処理とになり、コンピュータ端末の管理とコンピュータ端末内部の情報の保護を提供できる。
【発明を実施するための最良の形態】
【０００６】  以下、本発明について実施例をもとに詳細に説明する、ソフトウエアーの登録と削除の管理をしようとするコンピュータ端末が存在するコンピュータネットワーク上のサーバーに、ソフトウエアーの登録と削除の管理をしようとするコンピュータ端末を登録し、管理責任者とその使用コンピュータ端末を登録し、コンピュータ端末に後に説明するソフトウエアー登録削除管理ソフトウエアーをインストールしたときにインストールの完了通知をコンピュータ端末からコンピュータネットワークを介して受け取り、登録済みのコンピュータ端末からのものであるかを確認し、コンピュータ端末の登録がない場合は管理責任者のコンピュータ端末に対して警報を表示し、コンピュータ端末の登録がある場合はソフトウエアー登録削除管理ソフトウエアーのインストール完了を登録し、コンピュータ端末の登録が実行されて一定期間経過してもソフトウエアー登録削除管理ソフトウエアーのインストール通知が送信されてこない場合は管理責任者のコンピュータ端末に対して警報を表示し、コンピュータ端末にインストールされたソフトウエアー登録削除管理ソフトウエアーからコンピュータ端末でのソフトウエアーの登録または削除の確認と指示を求める通信をコンピュータネットワークを介して受け取り、コンピュータネットワークを介して管理責任者のコンピュータ端末にコンピュータ端末でのソフトウエアーの登録または削除の確認と指示を求める表示をし、入力された指示をコンピュータネットワークを介してコンピュータ端末のソフトウエアー登録削除管理ソフトウエアーへ電送する機能を持ったコンピュータ端末管理ソフトウエアーをインストールする。【０００７】  サーバーにインストールしたコンピュータ端末管理ソフトウエアーにソフトウエアーの登録または削除を確認し、指示入力しようとする管理責任者と管理責任者のコンピュータ端末を登録する。【０００８】  サーバーにインストールしたコンピュータ端末管理ソフトウエアーにソフトウエアーの登録または削除を管理しようとするコンピュータ端末を登録する。【０００９】  ソフトウエアーの登録または削除を管理しようとするコンピュータ端末に、インストールされるとコンピュータネットワークを介してサーバーのコンピュータ端末管理ソフトウエアーに対してインストール完了の通知を電送し、ソフトウエアーを登録または削除するためにコンピュータのユーティリティであるアプリケーションの追加と削除またはインストールしようとするソフトウエアーのインストーラーまたは削除しようとするソフトウエアーのアンインストーラーが起動すると、ソフトウエアーの登録または削除しようとするソフトウエアーの処理を一時停止し、コンピュータネットワークを介してサーバーに状況を通知しソフトウエアーの登録または削除の許可を求める通信を行い、管理責任者のコンピュータ端末からのソフトウエアーの登録または削除の許可または拒否の指示をコンピュータネットワークを介して受け取り、管理責任者の入力した指示が許可の場合には一時停止させているソフトウエアーの登録または削除しようとするソフトウエアーを始動させ、管理責任者の入力した指示が拒否の場合には一時停止させているソフトウェアーの登録ま���は削除しようとするソフトウエアーを終了させる機能を持った、ソフトウエアー登録削除管理ソフトウエアーをインストールする。【００１０】  コンピュータ端末でソフトウエアーの登録または削除をしようとすると、コンピュータ端末にインストールされているソフトウエアー登録削除管理ソフトウエアーが、ソフトウエアーの登録または削除しようとするソフトウエアーの処理を一時停止し、コンピュータネットワークを介してサーバーにインストールされているコンピュータ端末管理ソフトウエアーに対してソフトウエアーの登録または削除の許可を求める通信を行い、サーバーにインストールされているコンピュータ端末管理ソフトウエアーが受信し、当該ソフトウエアーが管理責任者のコンピュータ端末にソフトウエアーの登録または削除の許可または拒否の指示入力を求め、管理責任者が許可または拒否を入力すること、コンピュータネットワークを介して登録または削除を実行しようとしているコンピュータ端末に管理責任者の入力した指示を電送し、コンピュータ端末にインストールされているソフトウエアー登録削除管理ソフトウエアーが電送内容を受信し、管理責任者の入力した指示が許可の場合には一時停止させているソフトウエアーの登録または削除をしようとするソフトウエアーを始動させ、管理責任者の入力した指示が拒否の場合には一時停止させているソフトウエアーの登録または削除しようとするソフトウエアーを終了させる。【００１１】  サーバーのコンピュータ端末管理ソフトウエアーにソフトウエアーの登録または削除を管理しようとするコンピュータ端末を登録してから一定期間経過してもコンピュータ端末にインストールされるべきソフトウエアー登録削除管理ソフトウエアーからインストール完了の通知の電送がない場合は、サーバーのコンピュータ端末管理ソフトウエアーが管理責任者のコンピュータ端末に対して警報を表示する。【００１２】  本発明は、以上述べた実施例に限定されるものではない。